(57)【特許請求の範囲】
【請求項１】
ボウル部から延設される排水管部に、下流端部に排水口を有する筒状のトラップ部の上流端部を連通接続させ、前記トラップ部を、前記排水口が上方をむく封水姿勢と前記排水口が下方をむく排水姿勢との間で姿勢変更自在に備えた便器装置において、前記封水姿勢にあるときの前記トラップ部の前記下流端部での水位を検知する水位センサを備え、前記水位センサにより検知される水位が基準水位となった場合に給水を停止するように設け、前記水位センサは、前記トラップ部が前記排水姿勢にあるときに前記トラップ部の外側に位置するように設置したものであることを特徴とする便器装置。
【発明の詳細な説明】
【技術分野】
【０００１】
本発明は、トラップ部の姿勢変更により封水と排水を切り替えることのできる便器装置に関する。
【背景技術】
【０００２】
節水化を図ることのできる便器装置として、いわゆるターントラップ式の便器装置がある（特許文献１等参照）。
【０００３】
この便器装置では、筒状のトラップ部を回動させ、トラップ部の排水口が上方をむく姿勢で封水を行い、この排水口が下方をむく姿勢で排水を行う。以下においては、前記のように排水口を上方にむけたトラップ部の姿勢を「封水姿勢」（図１参照）といい、排水口を下方にむけた姿勢を「排水姿勢」（図２参照）という。
【０００４】
通常時は、トラップ部をこの封水姿勢に保持しておく。このとき、ボウル部とこれに連通する封水姿勢のトラップ部内には水が溜め置かれ、これにより外部排水管との間での封水がなされる。そして、排水時には、モータの動力でトラップ部を回動させて排水姿勢に姿勢変更させ、トラップ部の排水口を通じて、ボウル部内の溜水や汚物を一気に外部排水管側に排出させる。溜水や汚物の排出を終了すれば、トラップ部を再び封水姿勢へと戻し、ボウル部内に水を供給する。供給された水により、再び封水がなされる。
【０００５】
このとき、ボウル部内に供給された水に余剰分があれば、封水姿勢にあるトラップ部の排水口からオーバーフローされる。
【先行技術文献】
【特許文献】
【０００６】
【特許文献１】特開平９−２５６４４７号公報
【発明の概要】
【発明が解決しようとする課題】
【０００７】
前記したように、排水後のボウル部内に水を供給するとき、その供給量に余剰分があれば、封水姿勢にあるトラップ部の排水口からオーバーフローが生じ、これが余分な排水となる。特に、水道直結でボウル部内に給水を行う方式の場合、その水道圧によって給水量が異なることになるため、水道圧が高いときにはオーバーフローが発生しやすくなる。
【０００８】
本発明は前記問題点に鑑みて発明したものであって、トラップ部の排水口からのオーバーフローを抑えながら封水を図ることのできる便器装置を提供することを、課題とするものである。
【課題を解決するための手段】
【０００９】
前記課題を解決するために本発明を、ボウル部から延設される排水管部に、下流端部に排水口を有する筒状のトラップ部の上流端部を連通接続させ、前記トラップ部を、前記排水口が上方をむく封水姿勢と前記排水口が下方をむく排水姿勢との間で姿勢変更自在に備えた便器装置において、前記封水姿勢にあるときの前記トラップ部の前記下流端部での水位を検知する水位センサを備え、前記水位センサにより検知される水位が基準水位となった場合に給水を停止するように設け、前記水位センサは、前記トラップ部が前記排水姿勢にあるときに前記トラップ部の外側に位置するように設置したものとする。
【発明の効果】
【００１０】
本発明は、トラップ部の排水口からのオーバーフローを抑えながら、封水を図ることができるという効果を奏する。
【図面の簡単な説明】
【００１１】
【図１】本発明の一実施形態の便器装置の概略的な側断面図であり、トラップ部が封水姿勢にあるときを示している。
【図２】同上の便器装置の概略的な側断面図であり、トラップ部が排水姿勢にあるときを示している。
【発明を実施するための形態】
【００１２】
本発明を、添付図面に示す実施形態に基づいて説明する。
【００１３】
図１、図２には、本発明の実施形態の一例の便器装置を示している。図１は、トラップ部１を封水姿勢に保持した状態であり、図２は、トラップ部１を排水姿勢に保持した状態である。
【００１４】
本例の便器装置は、底部に排水口３を有するボウル部２と、この排水口３から水平方向に延長される排水管部４と、排水管部４の下流端部に装着される変形自在なトラップ部１と、トラップ部１を収容するケース部５とを具備する。図示はしないが、ボウル部２内に水を供給する給水手段としては、水道直結でボウル部２内に給水を行う方式のものを用いている。
【００１５】
トラップ部１は、蛇腹形状を有する筒状の部材から成り、トラップ部１の上流端開口に排水管部４の下流端部を嵌め込んで固定することにより、排水管部４を介してトラップ部１とボウル部２を連通接続させている。トラップ部１の下流端部には、排水口１ａを開口させている。
【００１６】
トラップ部１は、ケース部５の内部空間Ｓに配される。ケース部５はその底部にケース排水口６を有し、このケース排水口６が外部排水管（図示略）に連通接続される。つまり、トラップ部１を姿勢変更自在に収容するケース部５の内部空間Ｓは、ケース排水口６を介して外部排水管にまで連通接続される。
【００１７】
トラップ部１の姿勢変更を行うための姿勢変更手段は、ケース部５の側方に配置されるモータ(図示略)と、このモータからの回転動力によって回動されるアーム（図示略）とから成る。アームの先端部は、トラップ部１の下流端部に連結され、アームの回動に伴ってトラップ部１の姿勢が変更される。
【００１８】
トラップ部１の上流端部は、上流端開口が水平方向をむく状態で、前記のように排水管部４に嵌合固定される。一方、トラップ部１の下流端部は、排水口１ａが上方をむく状態と下方をむく状態との間で移動するように、アームの回動軸まわりに回動される。なお、ここでの上方とは、真上に限らず斜め上方を含む意味であり、同様に、ここでの下方とは真下に限らず斜め下方を含む意味である。
【００１９】
トラップ部１の封水姿勢は、図１のように下流端部を上流端部よりも上方にまで持ち上げ、側面視円弧状に屈曲させた姿勢である。トラップ部１の排水姿勢は、図２のように下流端部を上流端部よりも下方にまで降ろし、側面視円弧状に屈曲させた姿勢である。
【００２０】
そして、本例の便器装置では、ケース部５の天井面に、トラップ部１用の水位センサ１０を配置している。この水位センサ１０は、トラップ部１が図１の封水姿勢にあるときに、そのトラップ部１の下流端部での水位を検知するものである。この水位センサ１０は、フロートスイッチを用いたものであり、ケース部５の天井面から垂下されるステム１１と、このステム１１に対して上下の所定範囲内で摺動自在に装着されるフロート１２とから成る。
【００２１】
トラップ部１がその排水口１ａを上方にむけた封水姿勢にあるとき、前記フロート１２が、排水口１ａを通じてトラップ部１の下流端部内に挿入される。フロート１２は通常、上下の所定範囲内のうちも最も下側の位置にあり、このときフロートスイッチはオフとなる。一方、フロート１２が水面に浮かび、所定量を超えて上方に移動すれば、フロートスイッチはオンとなる。フロートスイッチがオフからオンに切り替わったタイミングで、トラップ部１の下流端部内の水位が基準水位に至ったと検知される。ここでの基準水位は、オーバーフローを生じる直前の適宜水位に設定する。
【００２２】
本例の便器装置が備える制御部（図示略）は、トラップ部１の姿勢変更や給水を制御するものであり、水位センサ１０をこの制御部に接続させて備える。制御部は、トラップ部１内の水位が基準水位に至ったことを水位センサ１０により検知すると、そのタイミングで水道からボウル部２への給水を停止させるように設けている。
【００２３】
本例の便器装置において、制御部は、トラップ部１を通常時は封水姿勢に保持しておき、このトラップ部１に至るまで水を充填させることで封水を行う。そして、排水時には、モータによりアームを回動させ、トラップ部１を排水姿勢へと姿勢変更させる。これにより、ボウル部２内の溜水や汚物は、排水口１ａを通じてケース部５の内部空間Ｓに排出され、さらに、ケース排水口６を通じて外部排水管にまで排出されていく。
【００２４】
次いで、制御部は、モータによりアームを逆方向に回動させ、排水姿勢にあるトラップ部１を再び封水姿勢に戻し、ボウル部２内に水道からの給水を行う。ボウル部２内の水面が上昇すると、ボウル部２に連通するトラップ部１内の水面も上昇してゆき、基準水位にまで至ればこれを水位センサ１０により検知した制御部が、水道からの給水を直ちに停止させる。
【００２５】
したがって、トラップ部１の排水口１ａからのオーバーフローを極力抑えたうえで、トラップ部１内は水で充満させることができる。これにより、封水を図ることと、節水化を図ることが両立される。
【００２６】
以上説明したように、本例の便器装置は、ボウル部２から延設される排水管部４に、下流端部に排水口１ａを有する筒状のトラップ部１の上流端部を連通接続させ、トラップ部１を、排水口１ａが上方をむく封水姿勢と排水口１ａが下方をむく排水姿勢との間で姿勢変更自在に備えた便器装置である。そして、封水姿勢にあるときのトラップ部１の下流端部での水位を検知する水位センサ１０を備え、水位センサ１０により検知される水位が基準水位となった場合に給水を停止するように設けている。
【００２７】
これにより、本例の便器装置によれば、トラップ部１の排水口１ａからのオーバーフローを極力抑えて節水化を図ったうえで、トラップ部１内を水で充満させて封水を行うことができる。
【００２８】
なお、本発明が前記実施形態に限定されないことは勿論である。例えば、水位センサ１０は、封水姿勢にあるトラップ部１の下流端部での水位を検知できるものであればよく、前記フロートスイッチを用いた構成に限定されない。そのため、例えば水位センサ１０として、非接触で水位を検知できる非接触方式の水位センサをケース部５の天井面に設置してもよいし、フロートスイッチ以外の接触方式の水位センサを配置してもよい。その他の構成についても、本発明の意図する範囲内であれば、適宜の設計変更を行うことが可能である。
【符号の説明】
【００２９】
１  トラップ部
１ａ  排水口
２  ボウル部
４  排水管部
１０  水位センサ
【図１】
0005887523.tif 000002
【図２】
0005887523.tif 000003